(57)【要約】  【課題】データの保護を図ると共にデータの譲渡を可能とする。  【解決手段】送信装置は、複数のデータが記憶される第１の記憶部と第１の記憶部に記憶されている複数のデータの中からユーザによって入力された選択データに基づいて選択されたデータに第１の識別データを付加するデータ生成部とを有する。端末装置は、第１の記憶部に記憶されている複数のデータの中からユーザの所望とするデータを選択するための選択データを入力するための操作部と送信装置から送信されてきた第１の識別データが付加されたデータを記憶するとともに装置固有の第２の識別データを記憶する第２の記憶部と第２の記憶部から読み出されたデータを再生する再生部とを有する。再生部による第２の記憶部から読み出されたデータの再生を行う際に第２の記憶部から読み出されたデータに付加されている第１の識別データと第２の記憶部に記憶されている第２の識別データを比較し、比較結果に基づいて再生動作を制御する。【選択図】図１
2008010009.tif 000002
【特許請求の範囲】
【請求項１】
データと前記データに関連付けられ前記データが転送された回数を表す回数データとを記憶する記憶手段と、
データを送受信する送受信手段と、
操作入力に基づいて、前記回数データの回数を更新する更新処理と、前記データと前記データに関連付けられた前記更新された回数データとを、前記送受信手段に外部機器へ送信させる送信制御処理とを実行する制御手段と、
を備える端末装置。
【請求項２】
前記制御手段は、前記回数データに基づいて前記更新処理を実行する
ことを特徴とする請求項１に記載の端末装置。
【請求項３】
前記制御手段は、前記データの転送回数が所定回数以下であったときは、前記更新処理を実行する
ことを特徴とする請求項２に記載の端末装置。
【請求項４】
前記制御手段は、前記データの転送回数が所定回数以下でなかったときは、前記更新処理を停止する
ことを特徴とする請求項２に記載の端末装置。
【請求項５】
前記記憶手段は識別データを前記データに関連付けて記憶しており、
前記制御手段は、前記データに関連付けられている識別データ他の識別データに書換え、前記データと前記更新された回数データと前記他の識別データとを関連付けて前記送受信手段に前記外部機器へ送信させる
ことを特徴とする請求項１に記載の端末装置。
【請求項６】
前記制御手段は、前記送受信手段に前記外部機器から他の識別データを受信させる
ことを特徴とする請求項５に記載の端末装置。
【請求項７】
前記記憶手段は、識別データを前記データに関連付けて記憶しており、
前記制御手段は、固有の識別データと前記識別データとが一致するときは、前記更新処理を実行する
ことを特徴とする請求項１に記載の端末装置。
【請求項８】
前記記憶手段は、識別データを前記データに関連付けて記憶しており、
前記制御手段は、固有の識別データと前記識別データとが不一致のときは、前記更新処理を停止する
ことを特徴とする請求項１に記載の端末装置。
【請求項９】
前記制御手段は、入力されるパスワードと記憶手段に記憶しているパスワードとが一致するときは、前記更新処理を実行する
ことを特徴とする請求項１に記載の端末装置。
【請求項１０】
データと前記データに関連付けられ前記データが送受信手段により転送された回数を表す回数データとを記憶手段に記憶し、
操作入力に基づいて、前記回数データの回数を更新する更新処理と、前記データと前記データに関連付けられた前記更新された回数データとを前記送受信手段に外部機器へ送信させる送信制御処理とを制御手段により実行するデータ転送方法。
【発明の詳細な説明】
【技術分野】
【０００１】
この発明は、端末装置およびデータ転送方法に関し、詳しくは、情報が蓄積される送信装置からユーザ端末装置に音楽データを配信するようにした情報伝送システムに用いて好適な端末装置およびデータ転送方法に関する。
【背景技術】
【０００２】
ＩＳＤＮ（Integrated Service Digital Network) 回線や通信衛星を介して、音楽データをユーザ端末装置に配信するようなサービスを行うことが考えられている。このようなシステムでは、ネットワーク上に音楽の配信サービスを行う送信装置が設けられ、ユーザ端末装置と送信装置とがＩＳＤＮ回線や通信衛星等の通信媒体で結ばれる。ユーザ端末装置と送信装置とが結ばれると、音楽データを検索するためのメニュー画面や検索画面が表示される。ユーザは、このメニュー画面や検索画面を見ながら、購入したい音楽データを選択する。このユーザからの要求に応じて、送信装置からからユーザ端末にネットワークを介して所望の楽曲のディジタルオーディオデータが上述した通信媒体を介してユーザのもとに配信される。このようなシステムが実現されると、ユーザは、通信ネットワーク上で自分の好みの音楽データが入手できるようになる。更に、送信装置からの音楽データをユーザがダウンロードする際に、ユーザに適切な課金が行われる。
【発明の開示】
【発明が解決しようとする課題】
【０００３】
上述のように、このような音楽配信システムが普及してくると、通信ネットワーク上で自分の好みの音楽を購入できるようになる。ところが、このような音楽配信システムが普及すると、通信ネットワークを介して入手した音楽データを不正にコピーして他人に販売したりするようなことが行われ、著作権が侵害されるおそれがある。更に、上述したような音楽配信システムが普及し、通信ネットワーク上で音楽データを購入することが盛んに行なわれていくと、自分で作成した音楽データや一度ダウンロードした音楽データを通信ネットワークを介して他人に譲渡することが行なわれるようになると考えられる。このように音楽データを譲渡する際にも、データが保護図れると共に、所有権の移転が簡単に行なえるようにすることが望まれる。
【０００４】
したがって、この発明の目的は、送信装置からのデータを通信ネットワークを介してダウンロードするようなシステムにおいて、データの保護が図れるようにした端末装置およびデータ転送方法を提供することにある。
【課題を解決するための手段】
【０００５】
上述の課題を解決するために、この発明は、データとデータに関連付けられデータが転送された回数を表す回数データとを記憶する記憶手段と、
データを送受信する送受信手段と、
操作入力に基づいて、回数データの回数を更新する更新処理と、データとデータに関連付けられた更新された回数データとを、送受信手段に外部機器へ送信させる送信制御処理とを実行する制御手段と、
を備える端末装置である。
【０００６】
また、この発明は、データとデータに関連付けられデータが送受信手段により転送された回数を表す回数データとを記憶手段に記憶し、
操作入力に基づいて、回数データの回数を更新する更新処理と、データとデータに関連付けられた更新された回数データとを送受信手段に外部機器へ送信させる送信制御処理とを制御手段により実行するデータ転送方法である。
【発明の効果】
【０００７】
この発明によれば、各機器に固有の所有者ＩＤが記憶されており、データには所有者ＩＤが付加される。データをダウンロードする場合には、各機器から送信装置に所有者ＩＤが送られ、この所有者ＩＤがデータに付加される。また、データを譲渡する場合には、所有者ＩＤが譲渡した相手側の所有者ＩＤに書き換えられる。データを再生する場合には、各機器の所有者ＩＤとデータに付加されている所有者ＩＤとが比較され、各機器の所有者ＩＤとデータに付加されている所有者ＩＤとが一致している場合のみ、再生が許可される。これにより、データの保護を図ることができると共に、データの保護を図りつつ、データの移転を行うことができる。
【発明を実施するための最良の形態】
【０００８】
以下、この発明の実施の形態について図面を参照して説明する。まず、第１図はこの発明に関する全体の情報伝送システムの概要を示すものである。
【０００９】
第１図において、送信装置３は大容量のデータ又は複数の情報が蓄積される記録媒体、例えばハードディスク、光ディスク等を有しており、例えば、ＩＳＤＮ（Integrated services digital network ）、ＣＡＴＶ（Cable Television, Community Antenna Television）、通信衛星、電話回線等の通信回線５を介してユーザからの要求情報を受信し、その要求情報によって指定されるデータ又は情報を記録媒体に記憶されている複数の情報又はデータの中から検索し、要求情報と対応する又は要求情報に該当するデータ又は情報を通信回線５を介して受信装置２に送信する。受信装置２は送信装置３から送信されてきたデータ又は情報を受信し、そのデータ又は情報を受信装置２に接続されている携帯端末装置１に出力し、携帯端末装置１は端末装置１に内蔵される記録媒体、例えばハードディスク、光ディスク、半導体メモリ等に送信装置３より送信されてきたデータ又は情報をコピー又は記録することができる。このようなシステムによりいわゆるデータ・オン・デマンドが実現される。なお、ここでいうデータ又は情報としては、例えば、オーディオ情報、テキスト情報、画像情報、映像情報等が考えられる（以下、これらのデータ又は情報を総称してデータという）。
【００１０】
第７図に示すように、送信装置３は、大量のデータを蓄積する記憶部５９と、その記憶部５９に蓄積されるデータより所望のデータを検索する検索部６０を少なくとも有する。記憶部５９としては現在の放送局用機器に用いられる磁気テープ等も考えられるが、この発明に係るシステムの特徴の一つであるオン・デマンド機能を実現するために、ランダムアクセス可能なハードディスク、半導体メモリ、光ディスク、光磁気ディスク等が望ましい。送信装置３の全体の動作の制御は制御部６２により行われている。
【００１１】
第１図において、送信装置３からのデータの配信に用いられる通信回線５としては、ＩＳＤＮ、ＣＡＴＶ、通信衛星、電話回線、無線通信等があげられる。通信回路５としてはオン・デマンドを行うため双方向通信が必要であるが既存の通信衛星等を用いた通信方法では基地局から端末装置側又はこの逆のいずれか一方向のみの通信となるために、双方向通信を実現するために他方向の通信に他の通信回線を用いるという２つ以上の通信回線を用いるか２種類以上の通信回線５を併用してもよい。
【００１２】
送信装置３から受信装置２へ通信回線５により直接データを送信するためには送信装置３と第１図に示すシステムを利用することができる全ての受信装置２との間の通信回線の接続等のインフラに費用がかかるばかりでなく、受信装置２を介して端末装置１から送信されてくる要求情報が送信装置３に一極集中し、送信されてきた大量の要求情報に基づいて要求情報に基づくデータを各々の受信装置２にデータを送信するため、送信装置３に負荷がかかる可能性がある。
【００１３】
そこで、送信装置３と受信装置２の間にデータを一時記憶するサーバ３Ａを設けるようにして回線長の節約を図るとともに、サーバ３Ａに予め所定のデータを送信装置３よりダウンロードしておき、サーバ３Ａと受信装置２との間の交信のみで受信装置２から送信されてくる要求情報に対応するデータをサーバ３Ａより送信し、携帯端末装置１にサーバ３Ａから送信されてきたデータをダウンロードできるようにしても良い。
【００１４】
受信装置２及び受信装置２に対して脱着可能な携帯端末装置１について第２図乃至第６図を用いて説明する。
【００１５】
受信装置２は、例えば各駅にある売店、コンビニエンスストア、公衆電話、各家庭等に配され、液晶表示等からなる表示部７、所望の情報を選択するための操作部８、更に、携帯端末装置１を装着する装着部９を有する。装着部９は、第２図に示すように、受信装置２に設けることが望ましいが、接続ケーブルを用いることで装着部９を設けない構成でもよい。
【００１６】
ここで、受信装置では携帯端末装置１の操作部、表示部を用いることにより受信装置２の機能を削減するため、表示部７、操作部８を設けなくても良い。装着部９には受信装置２と携帯端末装置１とが情報入出力を行う入出力端子６、携帯端末装置１を装着することにより自動的に携帯端末装置１の電源としての二次電池の充電を行うための電源１０と接続されている電源端子１１が設けられている。
【００１７】
第２図に示すように、携帯端末装置１の全体が受信装置２に対して脱着可能となっているが、受信装置２側とのデータの入出力、充電電池の供給を含む電源供給が行えるものであればよく、携帯端末装置１の底面、側面、或いは先端に小型装着部を有する電源供給線及び情報入出力線が携帯端末装置１から引き出されこれらの線材の先端に設けられている接続部を受信装置２に接続するものであってもよい。
【００１８】
例えば、第３図に示すように、受信装置２に表示部７及び操作部８が設けられると共に、携帯端末装着部９が設けられる。携帯端末装着部９に携帯端末装置１を直接接続することにより、又は携帯端末装着部９に接続ケーブルを介して携帯端末装置１を接続することにより、受信装置２と端末装置１との間のデータの入出力及び受信装置２から端末装置１への電源の供給が行われる。
【００１９】
また、一つの受信装置２に対して複数のユーザが各々の携帯端末装置１を接続してアクセスすることが考えられる。第４図に示す例では、一つの受信装置２に複数のブロック２Ａ、２Ｂ、２Ｃ、…が設けられている。各ブロック２Ａ、２Ｂ、２Ｃ、…には、夫々、表示部７Ａ、７Ｂ、７Ｃ、…及び操作部８Ａ、８Ｂ、８Ｃ、…が設けられると共に、携帯端末装置１の装着部９Ａ、９Ｂ、９Ｃ、…が設けられている。このような受信装置２では、各ブロック２Ａ、２Ｂ、２Ｃ、…の各装着部９Ａ、９Ｂ、９Ｃ、…に携帯端末装置１Ａ、１Ｂ、１Ｃ、…を各々接続して、１つの受信装置２を複数のユーザで使用することができる。
【００２０】
上述したように受信装置２に後述する装着判別部４０によって端末装置１が装着されたことを検出すると自動的に電源端子１３から充電電流が供給されることにより携帯端末装置１に内蔵される二次電池が充電され、その旨が表示部７又は表示部１６に表示されるとともに、ユーザが表示部７又は１６に表示されるメニューを表示に従って所望とするデータ名、データの種別等に関する項目や条件をセレクトキー１４により選択し、決定キー１５により決定した項目、条件等に対応する要求情報を入出力端子１２を介して受信装置２にアップロード又は送信するとともに要求情報に対応する情報を端末１の記録媒体にダウンロードする。
【００２１】
ここで、セレクトキー、及び決定キーは回転操作部としてのダイヤルの回転によりセレクト、ダイヤルの押圧により決定というジョグダイヤルを用いると操作系をより簡単にすることができる。このようなジョグダイヤルの構造に関しては、例えば特開平８−２０３３８７号に示されている。
【００２２】
このダウンロード動作が終了したことが受信装置２の表示部７、或いは携帯端末装置１の表示部１６等により告知された後、受信装置２から携帯端末装置１を取り外す。その結果、ユーザはいつでもどこでもその携帯端末装置１に記録された情報を表示、或いは出力させることができる。この際、携帯端末装置１に設けられた所謂テープレコーダで用いられている早送り、再生、巻戻しに相当する機能を行わせるための操作キー、停止、一時停止等の複数の操作キー１７のうちのいずれかの操作キーを操作することによってその表示、出力を制御することができる。
【００２３】
また、第５図に示すように、携帯端末装置１はヘッドホン２０を用いてオーディオ情報を聴く場合にヘッドホン２０が接続されるヘッドホン端子１８と、第１図に示すように所定の通信回線により送信装置３に蓄積されている複数の情報のうち所望の情報を受信装置２を介して端末１の記録媒体にダウンロードするだけでなくユーザがマイクロホンを用いてメモをとるように必要な情報を記録できるようにマイク接続端子１９を備えている。前述の操作キー１７に録音キーを加えることによりこの携帯端末装置１は音声記号の録音機又は記録機としても使用することができる。
【００２４】
また、第６図に示すように携帯端末装置１にはディスプレイ２１、キーボード２２、モデム又はターミナルアダプタ２３を接続することができるコネクタ２０が設けられている。このコネクタ２０にディスプレイを接続することにより携帯端末装置１にダウンロードした動画データ、静止画データ及び文字データをディスプレイ２１に表示させることができる。
【００２５】
また、端末装置１にキーボード２２を接続し、ユーザが接続されているキーボード２２を用いて要求するデータの選択又は入力を容易に行うことができるだけでなく、所望とするデータを選択するためのより複雑な条件の入力が可能となる。端末装置１にモデム又はターミナルアダプタ２３を接続することにより受信装置２を用いず送信装置３と直接データの交信が可能となるばかりでなく、他のコンピュータ或いは携帯端末装置１とのデータ交信可能となるのでユーザ同士のデータ交換なども容易に行うことができる。
【００２６】
また、これらの代わりに端末装置１に無線接続コントローラを接続し、無線接続コントローラを用いて送信装置３と携帯端末装置１とを無線接続することも容易に行うことが可能である。
【００２７】
次に、第７図を用いて全体のシステムの構成について説明する。第７図において、携帯端末装置１には、コントローラ３０が設けられる。このコントローラ３０からはバス２９が導出され、バス２９に、ＲＯＭ２７、ＲＡＭ２８、記録媒体としてのハードディスクドライブ３２が接続される。
【００２８】
ＲＯＭ２７或いはＲＡＭ２８には、送信装置３に蓄積されるデータのデータベースメニューに関するデータが記憶されているとともにＲＡＭ２８には、ユーザによって選択設定された要求情報が蓄えられる。ハードディスクドライブ３２のハードディスクには、ダウンロードしたデータが蓄えられる。
【００２９】
携帯端末装置１には、操作キー１７、表示部１６、受信装置２との間でデータの入／出力を行う入／出力部２６、音声圧縮、伸張処理を行う音声圧縮伸張回路３５が設けられる。また、携帯端末装置１には、上述したようにコネクタ２０が接続されているＩ／Ｏポート３９を介して、ディスプレイ２１、キーボード２２、モデム又はターミナルアダプタ２３を接続することができる。携帯端末装置１には、二次電池３１から電源電圧が各部に供給される。
【００３０】
更に、ＲＯＭ２７には、各携帯端末装置に固有の所有者ＩＤデータＩＤ１が記憶されている。ハードディスクドライブ３２のハードディスク３２に記録されている音楽データを再生するときには、ＲＯＭ２７の所有者ＩＤデータＩＤ１と、音楽データに付加されている所有者ＩＤデータＩＤ２とがコントローラ３０で比較され、ＲＯＭ２７に記憶されている所有者ＩＤデータＩＤ１と音楽とデータに付加されている所有者ＩＤデータＩＤ２とが一致している場合のみ、端末装置１から出力又は端末装置１でのデータの再生が可能となる。
【００３１】
受信装置２には、送信装置３からのデータを受信すると共に、携帯端末装置１からの要求情報を送信装置３に送信するための入／出力部２４が設けられる。受信装置２の送受信を含めて全体の動作は、制御部５７により制御されている。受信装置２には、携帯端末装置１の二次電池３１に電源端子１３及び電源端子１１を介して充電のための充電電流を供給するための電源回路２５が設けられる。記憶部２５は、送信装置３と端末装置１との間のデータの交信を行う際のバッファとして用いられる。
【００３２】
送信装置３は、大量又は複数のデータが蓄積される記憶部５９、ユーザからの要求情報により記憶部５９から要求情報と対応する又は該当するデータを検索する検索部６０、受信部２との間でデータの入／出力を行う入／出力部６１が備えられている。送信装置３の送受信を含めた全体動作は、制御部６２により制御される。送信装置３には、ユーザが所望とするデータをダウンロードしようとするときに、システムを利用でき、且つデータのダウンロードが許されている正規のユーザであるか否かを確認するための照合を行う照合処理部６３、入／出力部６１から送信されるデータにデータの所有者を示すＩＤデータと譲渡回数と譲渡許容回数に関するデータとを付加して送信データを形成するデータ形成部６４と、受信装置を介して送信されてきた要求情報に見合った課金処理を行う課金処理部４２が設けられる。
【００３３】
ここでいうデータの所有者を示すＩＤデータとは、前述したＩＤデータＩＤ２に相当する。照合処理部６３は、後述するように携帯端末装置１から送信されてくる所有者ＩＤデータに基づいて正規のユーザであるか否かを判別する。例えば照合処理部６３は端末装置１から送信されてきた所有者ＩＤデータが処理部６３に登録されているＩＤデータと照合する。この照合結果に基づいて制御部６２は後述する第１０図の動作を許可したり許可しなかったりする。
【００３４】
携帯端末装置１のＲＯＭ２７には後述する所有者ＩＤデータをはじめとして端末装置１の動作に必要とされるプログラムが予め記憶されている。ＲＡＭ２８には、端末装置１を通信回線５を介して送信装置３と接続した際に、送信装置３より送信されてくる記憶部５９に記憶されている複数のデータのコンテンツデータが書き込まれる。送信装置３に記憶されているデータをダウンロードする際に、表示部１６には、ＲＡＭ２８に記憶されているコンテンツデータに基づく選択メニューが表示されるので、ユーザは表示部１６を見ながら、検索条件を設定する。設定された検索条件は、要求情報としてＲＡＭ２８に書き込まれる。この携帯端末装置１を受信装置２の装着部９に装着することにより、受信装置２が送信装置３と所定の通信回線５により入／出力部２４を介して互いに交信可能に接続されるとともに、同様に送信装置３が入／出力部２４及び携帯端末装置１の入／出力部２６を介して携帯端末装置１のバス２９に接続される。
【００３５】
なお、受信装置２の装着部９に端末装置１が装着されたか否かは、受信装置２の装着部９に設けられた図示しない検出スイッチからの出力信号に基づいて装着判別部４６で判別される。勿論、これ以外に入出力端子６、１２を介してデータの授受が可能になったかを制御部５７で判別するようにしてもよい。
【００３６】
これにより、ＲＡＭ２８に蓄えられる要求情報がコントローラ３０による制御の下に自動的に入／出力部２６、２４を介して送信装置３に送信される。送信装置３には、端末装置１から送信されてきた要求情報が入／出力部６１より入力され、入力された要求情報に対応する又は該当するデータが記憶部５９から検索部６０により検索され、索出されたデータが受信装置２に送信される。受信装置２にデータが送信される際にデータ形成部６４によって送信されるデータに所有者を示すＩＤデータ、譲渡許容回数を示すデータや課金に関するデータが付加される。これらの送受信を含めた全体の制御は制御部６２により行われている。
【００３７】
また、この記憶部５９には複数のデータを記録する、しかも大量のデータを記憶する必要があるためデータが圧縮されていることが望ましい。圧縮方法としては例えば特開平３−１３９９２３号や特開平３−１３９９２２号に開示されているような変形ＤＣＴ（Modified Discreat Cosine Transform） 、ＴｗｉｎＶＱ（Transform domain Weighted Interleave Vector Quantization）等（商標）様々な方法が考えられるが、受信装置２側で伸張することができる圧縮手法であるならばよい。
【００３８】
送信装置３から送信される際又は受信装置２を介して携帯端末装置１から要求情報の送信時の伝送プロトコルについては独自のプロトコル、又はインターネットで汎用となっているＴＣＰ／ＩＰ（Transmission controlprotocol/internet protocol）等でパケット化されてデータ送信されるものでもよい。
【００３９】
この送信装置３から送信されてきたデータ、即ち要求情報に対応する又は該当するデータは受信装置２の入／出力部２４により受信されるとともに入出力端子６、１２を介して携帯端末装置１の入／出力部２６に供給される。この要求情報の送信から所望の情報の受信の間に要する時間を利用して、携帯端末装置１の二次電池３１には、受信装置２の電源回路２５からの充電電流が供給されて二次電池３１が充電される。電源回路２５からの充電電流は、装着部９に端末装置１が装着されることによって電気的に接続されている受信装置２の電源端子１１と端末装置１側の電源端子１３を介して二次電池３１に供給されて二次電池３１が充電される。又は図示しない充電回路により直接二次電池３１に充電電流が供給されて二次電池３１が充電される。二次電池３１の充電動作は、受信装置２の制御部５７によって制御される。
【００４０】
携帯端末装置１に入／出力部２６から入力されるデータから課金等に関するデータ等の必要な情報が抽出されるとともにハードディスクドライブ３２に供給されてハードディスクに記録される。ユーザの所望のデータのダウンロードが終了すると受信装置２に設けた表示部７、或いは携帯端末装置１に設けた表示部１６にダウンロード終了の表示が出力され、ユーザに告知される。
【００４１】
ユーザはこのダウンロード終了表示を確認した後携帯端末装置１を受信装置２から取り外す。その結果、携帯端末装置１は、装置単体で自由に持ち運べる状態となる。
【００４２】
ユーザがダウンロードしたデータを再生したい場合には、まず、セレクトキー１４又は複数の操作キー１７のうちのいずれかの操作キーを操作して表示部１６に表示されているハードディスクドライブ３２のハードディスクに記録されている複数のデータの一覧のデータより再生したいデータを選択し決定する。するとハードディスクドライブ３２のハードディスクよりデータが読み出され、読み出されたデータを音声圧縮伸張回路３５に供給され伸張処理が施される。この伸張されたディジタル信号はＤ／Ａコンバータ３６によりアナログ信号に変換されヘッドホン２９に供給され、ユーザはヘッドホン２９を用いてハードディスクドライブ３２に記憶されているデータを聴くことができる。
【００４３】
マイクロホン３８を用いて音声信号をハードディスクに記録する場合には、複数の操作キー１７のうち録音又は記録を行うための操作キーを操作して記録開始の指令に対応する信号をコントローラ３０に供給し記録動作を開始する。これよりマイクロホン３８からのアナログの音声信号がＡ／Ｄコンバータ３７によりディジタルオーディオ信号に変換され、Ａ／Ｄコンバータ３７から出力されたディジタルオーディオ信号が圧縮伸張回路３５により前述したいずれかの圧縮方法で圧縮されてバス２９を介してハードディスクドライブ３２に供給されハードディスクに記録される。このようにして、あたかもメモをとるようにしてユーザがマイクロホン３８を用いて音声信号をハードディスクに記録することができる。
【００４４】
前述したように、コネクタ２０及びＩ／Ｏポート３９を介して携帯端末装置１にディスプレイ２１、キーボード２２、モデム２３、又はターミナルアダプタ２３を接続することができる。コネクタ２０にディスプレイを接続することにより携帯端末装置１にダウンロードされてハードディスクドライブ３２に記憶されているデータを再生して動画データ、文字データ等を大画面で出力することもできる。端末装置１に接続できるディスプレイ２１としてはＣＲＴ（Cathode Ray Tube）ディスプレイ、ＴＦＴ（Thin Film Transistor）液晶ディスプレイ、プラズマディスプレイ等が考えられ、ヘッドマウント型の液晶ディスプレイを用いればユーザが移動中においてもハードディスクドライブ３２に記録されているデータを再生して見ることができる。
【００４５】
キーボード２２をコネクタ２０を介して端末装置１に接続することにより、ユーザによる要求する又は欲しているデータの選択を容易にするだけでなく、送信装置３の記憶部５９に記憶されているデータを選択するための必要情報となるより複雑なコマンド入力が可能となる。これ以外にユーザはキーボード２２を用いて意見や情報等を文字データとして入力することも容易となるので、キーボード２２を介して入力された文字情報を送信装置３にアップロード、送信すれば、ユーザのリクエスト収集、又はユーザ同士の情報や意見交換の場としてのネットワーク上の会議室等の提供を行うこともできる。
【００４６】
更に、モデム又はターミナルアダプタ２３を接続することにより携帯端末装置１は受信装置２を用いず送信装置３と直接データ交信が可能となるばかりでなく、他のコンピュータ或いは他の携帯端末装置１と交信可能となり、ユーザ同士のデータ交換なども容易に行うことができる。携帯電話とモデム等を組み合わせて用いればいつでもどこでも携帯端末装置１から要求情報を送信装置３に送信することができ、まさにオン・デマンドとなりうる。
【００４７】
第８図は、通信回線５を介して送信装置３から送信され帯端末装置１にダウンロードされる音楽データのデータ形式を示す。
【００４８】
第８図に示すように、送信装置３から送信されるデータ、即ちデータ形成部６４によって生成されるデータの先頭には、所有者ＩＤデータと、譲渡回数に関するデータと、譲渡許容回数に関するデータが設けられ、これに続いて要求情報に対応する又は該当する音楽データが配置される。所有者ＩＤデータは、各ユーザの端末装置１のＲＯＭ２７に記憶されている各装置１の固有のＩＤデータＩＤである。この各装置１の固有のＩＤデータＩＤは、ＲＯＭ２７に端末装置１の工場出荷時に端末装置１毎に予め書き込まれているため、ユーザが書き換えることはできない。譲渡回数データには、あるユーザが自分の所有する携帯端末装置１に記憶されている音楽データを他人に譲渡したとき、即ち他のユーザが所有する携帯端末装置１に音楽データを転送及び記録したときの回数、つまり譲渡回数が記録される。音楽データを譲渡する際には単に音楽データが転送、記録されるだけでなく、後に説明するように、所有者ＩＤを付け替える。譲渡許容回数データは、このような譲渡の回数を制限するために用いられる。
【００４９】
第９図にシーケンス図で示すように、携帯端末装置１を受信装置２を介して音楽データの送信装置３に接続して、所望の音楽データを送信装置３から携帯端末装置１にダウンロードする際に、携帯端末装置１から送信装置３にＲＯＭ２７に記憶されている所有者ＩＤデータが送られる。送信装置３側は、携帯端末装置１から送信されてきた所有者ＩＤデータを受信すると、所有者ＩＤデータをデータ形成部６４で要求情報と対応する又は該当する音楽データに付加して、携帯端末装置１に送信する。携帯端末装置１では、送信装置３から所有者ＩＤデータが付加されて音楽データが受信される。
【００５０】
第１０図に、送信装置３から携帯端末装置１にデータ、例えば音楽データをダウンロードするときの処理のフローチャートを示す。第１０図に示すように、音楽データを購入即ち、ダウンロードする場合には、ユーザは、購入したい、ダウンロードしたい音楽データを選択し、ユーザの所有する携帯端末装置１を受信装置２に装着、接続し、受信装置２と送信装置３とを通信回線５を介して接続する（ステップＳ１）。携帯端末装置１が受信装置２，通信回線５を介して送信装置３に接続されると、この携帯端末装置１のＲＯＭ２７に記憶されている装置１の固有の所有者ＩＤデータが送信装置３に送信される（ステップＳ２）。送信装置３側で、携帯端末装置１から送信されてくる要求情報としてのユーザ側からの指定される音楽データを検索部６０によって記憶部５９に記憶されている複数の音楽データの中から検索し、要求情報と対応又は該当する音楽データが記憶部５９から読み出され、この音楽データが通信回線を介して端末装置１に向けて送信される（ステップＳ３）。このとき、第８図に示したように、記憶部５９から読み出された音楽データには、データ形成部６４によって所有者ＩＤデータ等の上述したデータが付加される。
【００５１】
なお、第１０図に示すフローチャートでは、ユーザがダウンロードしたい音楽データを選択した上でユーザの所有する携帯端末装置１を受信装置２に接続するようになっている。これに限らず、ユーザの所有する携帯端末装置１を受信装置２に装着、接続した後に、ダウンロードしたい音楽データを選択するようにしてもよい。また、このとき送信装置３と受信装置２を介して携帯端末装置１とが接続され、携帯端末装置１から送信装置３に送信された所有者ＩＤデータが照合処理部６３で照合され、正規のユーザであることが確認されたときのみ制御部６２は図示に示すような手順で音楽データが携帯端末装置１にダウンロードされることを許可する。もし、照合処理部６３での照合の結果が、正規のユーザでなかったことを示している場合には制御部６２は第１０図に示すダウンロード動作を許可しない。送信装置３に携帯端末装置１が接続されたか否かの判別は、受信装置２の装着判別部４０で端末装置１が装着されると制御部５７から装着された旨の確認信号又は確認データを送信装置３に送信し、送信装置３の制御部６２が送信されてきた確認信号又は確認データに基づいて行う。制御部６２は、送信されてきた確認信号又は確認データに基づいて所有者ＩＤデータを送信するように命令データを携帯端末装置１に送信し、端末装置１はこの命令データに基づいて所有者ＩＤデータを送信装置３に送信する。課金処理部４２からはダウンロードした音楽データの数量に基づく課金データを第１０図に示すダウンロード処理が終了した時点で端末装置１に送信する。
【００５２】
第１１図は、再生時の処理を示すフローチャートである。第１１図に示すように、携帯端末装置１にダウンロードした音楽データを再生する場合には、表示部１６に表示されている情報、例えばハードディスクドライブ３２に記憶されている音楽データの一欄情報に基づいて再生したい音楽データを選択し（ステップＳ１１）、ユーザの所望の音楽データを操作キー１７を用いて所望とする音楽データの番号やタイトル等の所望とする音楽データを特定するためのキー入力がなされる（ステップＳ１２）。所望の音楽データを特定するための入力がなされると、コントローラ３０はハードディスクドライブ３２を動作させてキー入力に対応する音楽データを読み出して、この音楽データに付加されている所有者ＩＤコードとＲＯＭ２７に記憶されている機器毎に固有の所有者ＩＤコードとを比較する（ステップＳ１３）。音楽データに付加されている所有者ＩＤコードとＲＯＭ２７に記憶されている装置１の固有の所有者ＩＤコードとが一致していれば、コントローラ３２はハードディスクドライブ３２のハードディスクから読み出した音楽データの再生を行う（ステップＳ１４）。音楽データに付加されている所有者ＩＤコードとＲＯＭ２７に記憶されている所有者ＩＤコードとが一致していなかったら、コントローラ３２は警告表示を表示部１６に表示させ（ステップＳ１５）、ハードディスクドライブ３２から読み出された音楽データを再生せずに終了される。
【００５３】
このように、送信装置３から送信される音楽データに端末装置１の所有者ＩＤデータを付加することにより、音楽データが不正コピーされても再生することができないので、結果としてダウンロードされた音楽データの不正コピーを防止することができる。つまり、ダウンロードされる音楽データには必ず所有者ＩＤデータが付加され、ダウンロードした音楽データを再生時には、音楽データの所有者ＩＤデータと装置１に記憶されている所有者ＩＤデータとが合致している場合だけダウンロードした音楽データの再生が許可されてる。したがって、ダウンロードした音楽データが不正にコピーされた他人に配付されたとしても、所有者ＩＤデータの異なる携帯端末装置では再生することができない。
【００５４】
このように、送信装置から音楽データを送信する際に音楽データに所有者ＩＤデータを付加しておくと、上述したように不正コピーが防止できるばかりでなく、所有者ＩＤデータはダウンロードした音楽データに対する所有者を示すことになるので、所有権の移転が行える。
【００５５】
すなわち、現在、不要になった所謂コンパクトディスクを中古市場で売買するようなことが行われているが、この不要となったディスクの売買と同様なことがネットワーク上でも行うことができる。
【００５６】
第１２図は、音楽データを譲渡する場合の処理を示すフローチャートである。第１２図に示すように、例えば、ある携帯端末装置１Ａから他の携帯端末装置１Ｂに端末装置１Ａに記憶されているダウンロードした音楽データの譲渡を行う場合には、各々の端末装置１Ａ、１Ｂが例えば受信装置に装着されて通信回線５を介して互いに接続される（ステップＳ２１）。
【００５７】
端末装置１Ａのユーザによって操作キー１７によって音楽データを譲渡する動作モードが選択され（ステップＳ２２）、ユーザは端末装置１Ｂのユーザに譲渡する音楽データを表示部１６に表示されているハードディスクドライブ３２に蓄えられている複数の音楽データの中から操作キー１７等を用いて選択する（ステップＳ２３）。
【００５８】
コントローラ３０は選択された音楽データをハードディスクドライブ３２のハードディスクより読み出して、読み出された音楽データと所有者ＩＤデータと端末装置１Ａの所有者ＩＤデータとを比較する（ステップＳ２４）。選択されてハードディスクドライブ３２より読み出された音楽データの所有者ＩＤデータと端末装置１Ａの所有者ＩＤデータとが異なっていたら、コントローラ３０はハードディスクドライブ３２より読み出された音楽データは正当な所有者のものではないとして譲渡に関する動作モードの処理を終了する。この場合には、表示部１６又は受信装置の表示部７に警告表示を行うようにしてもよい。
【００５９】
選択されて読み出された音楽データの所有者ＩＤデータと端末装置１Ａの所有者ＩＤデータとが一致していたら、読み出された音楽データに付加されている譲渡回数データがコントローラ３０によって検出され、この譲渡回数データに基づく譲渡回数が音楽データに付加されている譲渡許容回数に関するデータによって規定されている回数以下か否かがコントローラ３０によって判断される（ステップＳ２５）。コントローラ３０によって読み出された音楽データの譲渡回数データに基づく譲渡回数が許容回数に関するデータによって許容されている回数を越えていたら、許容された譲渡回数を越えたとして、コントローラ３０は譲渡に関する動作モードを終了する。この場合にも表示部１６又は表示部７に譲渡回数が許可されている回数を越えているとの表示をするようにしてもよい。
【００６０】
コントローラ３０によって読み出された音楽データの譲渡回数に基づく譲渡回数が譲渡許容回数以下なら、パスワードが入力され（ステップＳ２６）、コントローラ３０によって入力されたパスワードと記憶されているパスワードが一致するか否かのパスワードがチェックされる（ステップＳ２７）。入力されたパスワードが合致していれば、譲渡動作モードを開示させる実行キーが入力を受け付ける（ステップＳ２８）。ステップＳ２７でパスワードが違っていると判断された場合には、パスワードの再入力が例えば３回まで許容され、３回以上入力されたパスワードが既に記憶されているパスワードと違っていたら、処理が終了される。このステップＳ２６で入力されるパスワードは、携帯端末装置１をユーザが購入した際にユーザによって設定されるものである。設定されたパスワードはコントローラ３０のメモリエリア又はＲＡＭ２８に保持される。ユーザが設定したパスワードは携帯端末装置１の電源を投入して動作を開始する際に入力が求められ、パスワードが合致しないと端末装置１は動作を開始しない。よって装置１Ａを置き忘れても装置１Ａ内のデータが不正コピーされることを防止できる。
【００６１】
ステップＳ２９で複数の操作キー１７のうち譲渡動作を開示させる実行キーが操作されると、端末装置１Ｂから端末装置１Ａに、端末装置１Ｂの所有者ＩＤデータが送信される（ステップＳ２９）。端末装置１Ａで端末装置１Ａから端末装置１Ｂに送信する音楽データに付加されている所有者ＩＤデータが端末装置１ＡのＩＤデータから送信されてきた端末装置１Ｂの所有者ＩＤデータへの書き換えが行われる（ステップＳ３０）。同時に端末装置１Ａから端末装置１Ｂに送信、譲渡される音楽データの譲渡回数データが１つだけインクリメントされる（ステップＳ３１）。
【００６２】
コントローラ３０によって端末装置１Ａから端末装置１Ｂに送信、譲渡される音楽データの所有者ＩＤデータが端末装置１ＢのＩＤデータに書き換えられ、譲渡回数データが１だけインクリメントされると、この音楽データが端末装置１Ａから端末装置１Ｂに送信される（ステップＳ３２）。送信されてきた音楽データは端末装置１Ｂのハードディスクドライブのハードディスクに記憶される。この譲渡された音楽データの所有者ＩＤデータは、端末装置１Ｂの所有者ＩＤデータに書き換えられているので、この譲渡された音楽データは、端末装置１Ｂで再生することができる。
【００６３】
端末端末装置１Ａのコントローラ３０は端末装置１Ａから端末装置１Ｂに譲渡される音楽データが送信が完了したら、端末装置１Ａのハードディスクドライブ３２に残っている譲渡した音楽データを端末装置１Ａで端末装置１Ｂに送信したデータが再生できない状態、即ちデータを消去、削除し（ステップＳ３３）、譲渡に関する動作モードによる処理を終了する。
【００６４】
なお、第１２図に示すフローチャートでは端末装置１Ａから端末装置１Ｂに端末装置１Ａのデータを装置１Ｂに譲渡する例を説明したが、単に端末装置１Ａから端末装置１Ｂにデータの転送を行う場合にも適用することができる。この転送の場合、端末装置１Ｂでは転送されてきたデータのＩＤデータが書き換えられるので装置１Ｂで転送されてきたデータを再生することができる。
【００６５】
以上のように、この発明にかかるデータ伝送装置の転送方法は、特に、情報が蓄積される送信装置から端末に音楽データを配信するようにした情報伝送システムで著作者の権利を保護するのに有用なものである。
【図面の簡単な説明】
【００６６】
【図１】この発明に関わるシステム全体を示すブロック図である。
【図２】この発明に関わる受信装置とその受信装置に脱着自在に設けられる端末装置を示す斜視図である。
【図３】この発明に関わる受信装置の一形態及びそれに装着される端末装置の他の例を示す斜視図である。
【図４】この発明に関わる受信装置の更に他の例を示す斜視図である。
【図５】この発明に関わる端末装置から出力される音声を聴くヘッドホンが装着される端末装置の斜視図である。
【図６】この発明に関わる端末装置にコネクタを介して様々な入出力機が接続される場合の構成を示す斜視図である。
【図７】この発明に関わる端末、受信装置、及び送信装置を備えるシステム全体のブロック図である。
【図８】この発明に関わるデータ構成の説明に用いる略線図である。
【図９】この発明に関わるシーケンス図である。
【図１０】この発明に関わるダウンロード時の動作を説明するためのフローチャートである。
【図１１】この発明に関わる再生時の動作を説明するためのフローチャートである。
【図１２】この発明に関わる端末間のデータ譲渡の動作を説明するためのフローチャートである。
【符号の説明】
【００６７】
１・・・携帯端末装置
２・・・受信装置
３・・・送信装置
５・・・通信回線
２７・・・ＲＯＭ
２８・・・ＲＡＭ
３２・・・ハードディスクドライブ
【図１】
2008010009.tif 000003
【図２】
2008010009.tif 000004
【図３】
2008010009.tif 000005
【図４】
2008010009.tif 000006
【図５】
2008010009.tif 000007
【図６】
2008010009.tif 000008
【図７】
2008010009.tif 000009
【図８】
2008010009.tif 000010
【図９】
2008010009.tif 000011
【図１０】
2008010009.tif 000012
【図１１】
2008010009.tif 000013
【図１２】
2008010009.tif 000014